(57)【要約】【課題】特殊な工具を必要とせず、専用のブランクキー、もしくは純正キー、さらにはプラスチックなどの加工可能な素材を利用すれば、これを基に当該シリンダーに用いられる下ピンに対応した最深度ないしそれ以上の深さでカットすることで容易に作製でき、ピンを用いたシリンダー錠への使用において、各下ピンに一斉に衝突エネルギーを与えることによって、その衝突エネルギーを効率良く上ピンに伝達して上ピンを弾き飛ばし、内筒と外筒の間のシャーラインを一瞬フリーにして内筒を回転させて開錠できる開錠専用のバンプキーを提供することにある。【解決手段】ピンを用いたシリンダー錠にあって、当該シリンダーに挿入可能な形状を有する板状のものを、当該シリンダーの内筒に装備され得る各々の下ピンが位置する全ての部位について、内筒に装備され得る最長の下ピンと相対する上ピンとの境目が、少なくとも内筒と外筒のシャーラインに一致するために必要な形状を残して一部ないしは全てを切削したものである。【選択図】図３
2008174911.tif 000002
【特許請求の範囲】
【請求項１】
ピンを用いたシリンダー錠にあって、当該シリンダーに挿入可能な形状を有する板状のものを、当該シリンダーの内筒に装備され得る各々の下ピンが位置する全ての部位について、内筒に装備され得る最長の下ピンと相対する上ピンとの境目が、少なくとも内筒と外筒のシャーラインに一致するために必要な形状を残して一部ないしは全てを切削したことを特徴とするバンプキー。
【請求項２】
多重素子ピンを用いたシリンダー錠にあって、当該シリンダーに挿入可能な形状を有する板状のものを、当該シリンダーの内筒に装備され得る各々の下ピン対が位置する全ての部位について、内筒に装備され得る最長の下ピンと相対する上ピンとの境目が、少なくとも内筒と外筒のシャーラインに一致するために必要な形状を残して一部ないしは全てを切削したことを特徴とするバンプキー。
【請求項３】
シリンダー錠に挿入可能な板状のものが、当該シリンダーに挿入可能なキーウェイをもったブランクキーである請求項１または２に記載のバンプキー。
【請求項４】
シリンダー錠に挿入可能な形状が、円柱状のブランクキーである請求項１に記載のバンプキー。
【請求項５】
二重素子ピンを用いたシリンダー錠に挿入可能な形状を有する幅８．９５±０．０５ｍｍ、厚さ２．４７±０．０５ｍｍ、長さ３８ｍｍ以上の板状のものの水平面において、先端から５．３±０．２５ｍｍの位置に直径４ｍｍの二重素子の外側ピンに対応した１．５２±０．０５ｍｍの深さの台形溝と、その中心に直径２ｍｍの内側ピンに対応した２．０２±０．０５ｍｍの深さの台形溝を有し、さらに垂直面において先端から７．７±０．２５ｍｍの位置に直径２．８ｍｍのサイドピンに対応した０．８±０．０５ｍｍの深さの台形溝が、各々４．８ｍｍ間隔で５列並んで切削した形状を片面ないし両面に有する請求項２に記載のバンプキー。
【発明の詳細な説明】
【技術分野】
【０００１】
本発明は、ピンを用いたシリンダー錠において、各下ピンに一斉に衝突エネルギーを与えることによって、その衝突エネルギーを効率良く上ピンに伝達して上ピンを弾き飛ばし、内筒と外筒の間のシャーラインを一瞬フリーにして内筒を回転させることを目的とした開錠専用のバンプキーに関するものである。
【背景技術】
【０００２】
通常、ピンを用いたシリンダー錠を純正キー以外で開錠する場合、ピックという専用工具を用いて、回転応力（テンション）をかけながら熟練した指先感覚に基づいて個々の下ピンを順にシャーラインに揃えて内筒を回す、いわゆる「ピッキング」という方法や、レーキングという方法で同様にシャーラインに揃えて内筒を純正キー以外で回す方法、ピックガンあるいは電動ピックガンという専用工具で、下ピンに衝突エネルギーを与えて、ニュートンの法則に従って上ピンのみを跳ね飛ばして、一瞬シャーラインをフリーにする方法で内筒を回す方法が知られている。
しかしながら、既存の方法は、下ピンの本数が増えるに伴い、難度が増し、短時間でシャーラインをフリーにすることが困難になり、また通称マッシュルーム型上ピンに代表されるような輪郭形状を工夫することによって耐ピッキング性能を持たせたピンシリンダーでは技術的に熟練を要した。またピックガンや電動ピックガンは、個々の下ピンを１本１本揃えてシャーラインをフリーにする方法に比べ、比較的容易であるものの、内筒のキーウェイが細く複雑になると先端の振動がうまく下ピンに伝わらなかったり、ピンの本数が多い場合には、一度に全てのピンに衝突エネルギーを与えることが出来なかったりして、偶然性に頼った効率が悪い方法であった。
一方、このようなピッキングの手法は、本来それを生業とするカギ業者の開錠手法であって、いつしかその工具や手法が犯罪者に伝わり社会問題になって来た。          犯罪防止の面から考えると、日本には「防犯法」という法律が無く、犯罪手口に対して後追いで規制をかけて行くしかないのが現状であった。平成１５年９月１日に施行された「特殊開錠用具の所持の禁止等に関する法律（法律第６５号）」やその施行令（政令第３５５号）などがその例である。常に犯罪が先行し、それを追うかたちで対策が考えられるが、予め犯罪が起き難い環境を何らかの方法で整備しておくことが望ましいことは言うまでもない。それが防犯に関する法律で達成できない場合には、それ以外の何らかの形で抑止するしか方法がないのが実情である。
【特許文献１】特開２００６−２５０８号公報
【特許文献２】特開２００６−４５９５６号公報
【発明の開示】
【発明が解決しようとする課題】
【０００３】
本発明は、上記した実状に鑑みてなされたもので、ピンを用いたシリンダー錠に内装された全ての下ピンにほぼ同時に、しかも確実に衝突エネルギーを与えられるよう設計されたものである。また複雑なキーウェイを有するカギ穴構造においても、そのキーウェイに対応した板であるためスムーズに挿入可能で、何ら障害なく全ての下ピンと接触が可能となり作用を及ぼす。
特に、本発明は、特殊な工具を必要とせず、専用のブランクキー、もしくは純正キー、さらにはプラスチックなどの加工可能な素材を利用すれば、これを基に当該シリンダーに用いられる下ピンに対応した最深度ないしそれ以上の深さでカットすることで容易にバンプキーを作製することが可能となる。また開錠行為の際も、バンプキーを挿入した状態で当該バンプキーを叩くだけで衝突エネルギーを下ピンに伝達でき、適当なテンションと共に内筒を回すことができる。どんなに複雑なキーウェイであっても、またピンの本数を増やし、キーに対して垂直、水平、斜方向から下ピンを内装したとしても、さらに特殊な形状の耐ピッキングピンを使用したとしても、それらの構造はバンプキーに対して何ら障害とならず、全ての下ピンに対して効率良く衝突エネルギーを与えることができる。
さて、本発明のバンプキーは、その効率的な原理故、対応したピンシリンダーであれば短時間でいとも簡単に開錠が可能となる。そこには熟練した技術や経験は全く必要としない。言い換えれば、本発明のバンプキーさえ手に入れば、子供でも簡単に操作して不正開錠が出来てしまうほどの技術であり、この技術が犯罪に用いられることが我々の最も懸念しなければならない問題である。
そこで、本発明は、我が国の防犯体制の弱点を補う意味でバンプキーの乱用、流通に対して特許法による規制をかけて、犯罪に用いられないような対策を講じるという意味が大きい。防犯に関する法律が出来るまで待っていては、犯罪の拡大を抑えることができない上、本発明のバンプキー自体が、特殊工具という位置付けで規制をかけ難いという点がその背景に挙げられる。バンプキーは、そのシリンダーの純正キーと比較して、見た目には単に溝（キーカット）を深くしているだけであるので、その判別は素人にはわかり難い。また、開錠操作の際には、バンプキー以外に特殊な工具を必要とせず、日常、身に付けたり、持ち歩いたりしていても不思議ではない物で叩く行為を行えば、それで不正開錠出来てしまうところが、前述の法律のように単純ではないので、手っ取り早くこれを規制するには、もはや特許法で、それに規制をかけるのが、現時点で最も効果的であると考えられる。
我々は、過去に苦い経験をしている。それは、ピッキングの手口で犯罪が出始めた際、業界ではできるだけこの情報を公開しないように抑えた結果、有効な対策が遅れ、爆発的な犯罪被害が出て大きな社会問題となるも、その発端となったメーカーは何ら責任を取ることなく、犯罪被害者は泣き寝入りするしかなかった。この経験を踏まえ、事前に犯罪が起こり得る可能性を公開した上で、それを対策できる方法、情報を与えて防犯対策を行うことが、本来の姿であると考える。幸いにも、平成１６年３月に公開された官民合同会議による「防犯性能の高い建物部品目録」に掲載されている防犯製品の中には、本発明の対策になる製品があり、それを前もって公表し、その使用を訴えることができる。こうして、将来起こり得る犯罪に対して予め対策を講じることが、真の防犯の姿であると考える。
【課題を解決するための手段】
【０００４】
本発明に係るバンプキーは、ピンを用いたシリンダー錠にあって、当該シリンダーに挿入可能な形状を有する板状のものを、当該シリンダーの内筒に装備され得る各々の下ピンが位置する全ての部位について、内筒に装備され得る最長の下ピンと相対する上ピンとの境目が、少なくとも内筒と外筒のシャーラインに一致するために必要な形状を残して一部ないしは全てを切削してなるものである。
そして、上記バンプキーは、シリンダー錠に挿入可能な形状が、円柱状のブランクキーであってもよい。
また、本発明に係るバンプキーは、多重素子ピンを用いたシリンダー錠にあって、当該シリンダーに挿入可能な形状を有する板状のものを、当該シリンダーの内筒に装備され得る各々の下ピン対が位置する全ての部位について、内筒に装備され得る最長の下ピンと相対する上ピンとの境目が、少なくとも内筒と外筒のシャーラインに一致するために必要な形状を残して一部ないしは全てを切削してなるものである。
上記したバンプキーは、シリンダー錠に挿入可能な板状のものが、当該シリンダーに挿入可能なキーウェイをもったブランクキーであってもよい。
さらにまた、本発明に係るバンプキーは、多重素子ピンを用いたシリンダー錠にあって、二重素子ピンを用いたシリンダー錠に挿入可能な形状を有する幅８．９５±０．０５ｍｍ、厚さ２．４７±０．０５ｍｍ、長さ３８ｍｍ以上の板状のものの水平面において、先端から５．３±０．２５ｍｍの位置に直径４ｍｍの二重素子の外側ピンに対応した１．５２±０．０５ｍｍの深さの台形溝と、その中心に直径２ｍｍの内側ピンに対応した２．０２±０．０５ｍｍの深さの台形溝を有し、さらに垂直面において先端から７．７±０．２５ｍｍの位置に直径２．８ｍｍのサイドピンに対応した０．８±０．０５ｍｍの深さの台形溝が、各々４．８ｍｍ間隔で５列並んで切削した形状を片面ないし両面に有するようにしたものである。
【発明の効果】
【０００５】
本発明に係るバンプキーは、これまで知られているピックガンのような工具と比較して、複雑なキーウェイの内筒や多数のピンを内装したシリンダーであっても、明らかに効率良く下ピンに衝突エネルギーを伝達できるため、確実に上ピンを跳ね上げてシャーラインをフリーにすることが可能となる。つまり、内筒の形状、キーウェイ、ピンの本数、ピンの形状、ブランクキーの形状、各部品の材質など異なるシリンダーであっても、基本的に上ピンと下ピンから構成される古典的なピンシリンダー錠であればどのようなものにも適用可能であり、確実に全ての下ピンに接触する位置に、正確な深さでカットされたバンプキーを作製すれば、殆ど熟練した技術なしに誰でも簡単に内筒を回転させて開錠することが可能となる。
つまり、本発明のバンプキーについてまとめるならば、
（１）                       
ピンシリンダーの全てに適応可能
すなわち、世界中で使用されている古典的なピンシリンダーは原理的に全て開錠可能となる。
（２）                       
無傷開錠ができる
すなわち、ピッキングなどの手法と同様に開錠した痕跡を残さず開錠可能となる。
（３）                       
特殊工具でなく材料の入手が容易
すなわち、バンプキーの製作には、対応したシリンダーの純正キーを利用したり市販のブランクキーを利用したりすることが可能で、材料の入手が容易である。
（４）                       
特殊なテクニックを必要としない
すなわち、バンプキーさえ正確に作れれば、開錠操作は至って簡単で、瞬間の衝撃を与えるためのハンマーのようなものがあれば、特に熟練したテクニックやノウハウ、その他の工具は必要としない。
（５）                       
短時間で開錠が可能
すなわち、バンプキーの精度がよければ、最短で１回の衝撃で開錠ができる。ピッキングでは１０分以上開錠不可能なシリンダーが瞬時に開錠可能となる。平均でも数秒から数分の間に開錠ができる。
（６）                       
攻略するピンの本数を減らすことができる
すなわち、バンプキーの原理上、最も長い下ピンに合わせて製作しているため、対象とするシリンダーに最長の下ピンが内装されていると、既にバンプキーを挿入しただけでシャーラインのフリーな状態が生まれ、ピックガン等と比較して効率的である。
以上のような効果が見出せるため、裏返せば、このバンプキーが市場に出回ることによって、玄関扉やロッカー、自動販売機など広く使用されている膨大な数のピンシリンダーが開錠容易な状況におかれる。過去の歴史を考慮すると、この発明が犯罪に悪用される可能性もあることから、市場での流通を抑制する法令を整備するとともに、単純なピンシリンダーを、異なる原理のシリンダーに交換するような対策が急がれるところである。
【発明を実施するための最良の形態】
【０００６】
本発明に係るバンプキーは、原理的に上ピンと下ピンで構成されるシリンダー錠の全てに適用可能であって、挿入される板または棒状、円柱状の物体は、シリンダー内筒のカギ穴に挿入可能な形状、例えばキーウェイの形状にカットされた形状のものであれば良く、長さや材質は限定されるものではない。好ましくは純正キーとほぼ同じ長さ形状で、材質は真鍮や洋白材などの金属製のものや、プラスチックなどの合成樹脂材やセラミックスなど、加工が楽な素材で、できるだけ強度を持ち下ピンと衝突した時に下ピンを跳ね返す硬度を持った素材であれば良い。
また、バンプキーには、下ピンが接触する位置全てに深い溝を形成させることが好ましい。すなわち、そのシリンダーで最も長い下ピンと相対する上ピンの境界面がシャーラインと一致するような深さ、またはその境界面がシャーラインよりも内筒側に位置する深さに設定し、その深さで全ての位置（ピッチ）を切削すれば良い。この深さに関しては、最も長い下ピンの頭部がシャーラインと一致する深さよりも少しでも浅いとシャーラインに下ピンが跨がってしまい、シャーラインがフリーにならないが、上ピンが跨がるくらいに深いぶんには問題とならず、必ずしもシャーラインと一致する深さが好ましいとは限らない。従って、深さに関しては、下ピンの頭部がシャーラインよりも下に位置するような深さであれば、特に限定されるものではない。また切削する大きさや断面は、内筒に内装されたピンの形状によって適当な断面で切削すれば良く、断面の角度も下ピンが跳ね上がり易い角度を設ければ良い。さらに、シリンダーの構造によって、ショルダー（鍵元）でピッチを合わせているシリンダーについては、その鍵元部分を僅かに削るか、切削するピッチをずらすことによって、切削した鍵山（キーカット）の傾斜面（スロープ）にぶつかって下ピンが上向きの力を得易くなる。またキーの先端でピッチを合わせているシリンダーにおいては、そのバンプキーの先端を削ることによって簡単にキーカットの傾斜面を下ピンにぶつかるように調整することも可能であるが、これに限定されるものではない。
さらに、バンプキーが最も長い下ピンに合わせて溝が切削されていると、内筒に最も長い下ピンが内装されている場合は、バンプキーを挿入した段階で既に一部のピン穴で内筒がフリーな状態になっている。従って、ピックガンのようなもので全てのピンに衝突エネルギーを与えて全ての上ピンを跳ね上げるよりも効率が良い方法となる。
【０００７】
以下、本発明に係るバンプキーの作用について説明する。
通常、ピンを用いたシリンダー錠において、純正キーを挿入する前の段階では、上ピンがシャーラインを跨ぎ、内筒の回転を阻止しているが、純正キーを挿入すると、その純正キーにカットされた溝に下ピンが位置することによって、上ピンとの間にシャーラインと一致する境界面が形成され、その位置で内筒の回転がフリーになって内筒がまわるような構造となっている。本発明に係わるバンプキーは、全ての下ピンが接触する位置に、当該シリンダーの内筒に収められる最も長い下ピンの最上部がシャーラインに一致するか、もしくはその位置よりも下方になるような切削溝（キーカット）を備えている。最も長い下ピンの最上部がシャーラインに一致するようにカットされたバンプキーにおいては、当該バンプキーを対応するシリンダーに挿入すると、その最も長い下ピンが存在するピンにおいては、内筒と外筒の間にシャーラインが形成されるが、それよりも短いピンが存在する場所では、上ピンがシャーラインを跨ぐ形で存在することになり、内筒はフリーにならない。また、この状態でバンプキーは内筒の前後（奥から手前）に僅かに遊びがあり、下ピンに溝の傾斜面が触れる位置から全く触れない位置まで慴動可能である。
バンプキーを内筒に挿入した状態で、バンプキーに適当な力で回転応力を加えながら、バンプキーの頭の部分をハンマーなどで叩き込む力を加えたり、また叩き込む力を加えるとほぼ同時に回転応力を加えたりとか、適当な振動を与える事によって、全ての下ピンと上ピンとの間に隙間が出来、内筒と外筒のシャーラインがフリーになり、加えた回転応力に従って、内筒が回転する。この状況はバンプキーにカットされた溝の傾斜面に相当する部分が各々の下ピンに衝突し、そのエネルギーが上ピンに伝わり、下ピンはそのままで上ピンだけが跳ね上がることによって達成される。これは、ニュートン力学による物理的現象で、ピックガンなどの工具もこの原理を応用したものである。但し、ピックガンと最も異なる部分は、バンプキーは一度に全ての下ピンに衝突エネルギーを与えることができるところである。通常、バンプキーを用いれば、数秒から数分で内筒を回すことができる。これは、ピンだけを用いたシリンダー全てに応用可能な方法であり、ピンだけを用いたシリンダーの最大の弱点とも言える。またバンプキーの使用方法には特に熟練を必要とせず、適当な回転応力と衝突エネルギーをバンプキーに与えるだけで達成できる。
ここで、最も重要なのは、バンプキーの製作方法である。内筒に内装された各々の下ピン形状に合うように正確にカットしなければならず、カットする溝の深さは、対象のシリンダーに内装され得る最も長い下ピンと相対する上ピンの境界面がシャーラインに一致する深さが基本であるが、それ以上に深くカットしても良く、同等の深さでバンプキーの全ての下ピンの位置をカットする。ここで、バンプキーのもう１つの効用は、上記の通り一番長い下ピンに合わせてキーをカットしているため、対象とするシリンダーに、一番長い下ピンが内装されている場合、バンプキーを挿入しただけで、そのピンはシャーラインがフリーになり、残りのピン（上ピン）をバンプキーで弾き飛ばせば良いことになる。つまり同様の原理でもあるピックガン等と比較しても非常に効率が良い方法と言える。
また、シリンダーによっては、キーの先端でピッチを合わせるのではなく、鍵元合わせのキーもあるので、それぞれケースでバンプキーの製作方法が異なる。バンプキーは、ピンとピンの間隔（ピッチ幅）や深さが揃えてあるため、ある位置ではカットしてある溝の傾斜面が全ての下ピンに殆ど接触しない場所があり、その位置から前後に僅かに動かすと全ての下ピンに溝の傾斜面がぶつかる場所がある。先端合わせのキーの場合、バンプキーの先端がシリンダーの先端合わせに接触している状態でカットした溝のピッチが合っているとする場合、１ピッチ以内で適当な距離を削り、バンプキーの先端がシリンダーの先端合わせに接触する状態で、カットした溝の傾斜面が下ピンに適当に接触する状態にすることもできる。また鍵元合わせのキーの場合で、シリンダー入口でキーの鍵元部分が接触してピッチが合っている場合には、鍵元部分を適当な距離削り、ショルダーがシリンダー入口に接触した状態でカットした溝の傾斜面が下ピンにわずかに接触した状態にすることもできる。ここで、バンプキーがシリンダー入口と接触する部分に弾力のある素材を設けることで、バンプキーが下ピンに衝突した次の瞬間、再びバンプキーが戻るような仕組みを作ることもできる。
本発明によって、各々のピンシリンダーに合ったバンプキーが製作された場合、そのピンシリンダーは、最短では１回の衝突エネルギーで開錠可能となり、平均でも数秒から数分以内に開錠可能な状況になる。ピンの数を増やして耐ピッキング性能を向上させ、鍵違い数をどれだけ多くしたとしても、また、耐ピッキング性能を考慮して、通称マッシュルーム型と言われる上ピンに代表されるような輪郭形状に上ピンをしてあったとしても、さらには垂直ピンや水平ピン以外に角度をつけたピン構造を構成したものであっても、本発明の方法は通常のピッキング手法とは異なるため、それらの耐ピッキング対策は何の効果も果たさない結果となってしまう。つまり、古典的なピンシリンダーの原理を利用したシリンダーは、本発明のバンプキーによって全て短時間で解錠されてしまうことになり、シリンダーメーカーは、これを防ぐための方法や新たな原理・機能の開発が今後の課題となることは間違いない。
そこで、本発明の最も重要な目的は、本発明のバンプキーが、犯罪などの目的で使用されたり、無闇に販売されて誰でも入手可能な状況になったりしないように特許法による制限をかけることにある。無論、できるだけ早急に、これに代わる規制や法律が制定され、犯罪に用いられる前に取締が行われることが望ましいことは言うまでもない。
【実施例１】
【０００８】
以下、本発明のバンプキーについて、実施例に基づき説明する。以下の例では、最も基本的なピンシリンダーについて説明する。
本発明に係るバンプキーの一態様を図とともに説明する。図１は６本のピンを内装したピンシリンダーの構造を示す断面図、図２は６本ピンのシリンダーの純正キー、図３は、本発明の６本ピンのシリンダー用のバンプキー、図４は図３のバンプキーの鍵元部分を僅かに削ったバンプキーの別の一態様図、図５はバンプキーをシリンダーに挿入した状態の断面図、図６は、バンプキーのひとつの切削部分が下ピンと接する部分を拡大したもの、図７はバンプキーの頭を叩き込んだ瞬間の断面図、図８はバンプキーからのエネルギーが上ピンに伝達して跳ね飛ばされている状態を示す断面図である。図１は、６本ピン・シリンダーを例にした一般的なピンシリンダーの機構の説明図であり、このように、純正キーをシリンダー内等に挿入することにより、下ピンと上ピンとの境目が外筒と内筒の境目（シャーラインＳ）と一致することによって、シャーラインＳ部分がフリーな状態となって、内筒が回ることによって開錠が可能となる。ここで図２に示す純正キー６の切削面７は、その純正キー６と対になっているシリンダーの下ピン５の長さと配列によって決まっており、特に限定されるものではない。図３に示すバンプキー８は、この純正キー６もしくは当該シリンダー専用のブランクキーを利用して、このシリンダーに使用される一番長い下ピンがシャーラインと一致するように、全ての溝が適当な形状にカットされた切削面９を有するものである。具体的には、このシリンダーは７段差のシリンダーであることから、一番深い７の深さで６本の溝をカットしたものである。この切削面９の深さは、一番長い下ピンと上ピンがシャーラインで境界面を有するように切削できていれば良く、若干深く切削して上ピンがシャーラインを跨いで内筒の回転を抑制していても、衝突エネルギーで上ピンが弾き飛ばされるため、何ら問題はなく切削する深さに制限はない。但し、切削する深さが浅くて、一番長い下ピンもしくはシリンダーに内装され得る下ピンの何れかがシャーラインを跨ぐようであってはいけない。切削する溝の数は、ピンの数に必ずしも一致させる必要はなく、ピンの数よりも多い分にはスペースがとれる限り何本でも可能である。但し、ピンの数よりも少ないとバンプキーとしての機能は発揮されない。また、このシリンダーは鍵元合わせであるため、鍵元部１０を適当に削ることによって、シリンダー内筒に挿入した際に、図５のごとく内筒正面と鍵元部との間に隙間１２を作ることも可能である。さらにこの隙間に弾力のあるゴム材等を挟み込み、押し込んだ力を戻す作用を持たせても良い。さらに切削面９の形状は、図６に示すごとく、下ピン５がバンプキーの溝に衝突して上ピンに衝突エネルギーを伝達し易いような構造に切削されていればよく、好ましくは底面から適当な角度をもったスロープ１４で下ピンを跳ね上げ易い形状であれば良く、特に制限されるものではない。
このような状態でバンプキー８に若干の回転応力を加えながら、バンプキー８の頭１３をハンマーのようなもので叩き込むと、図６に示すごとくバンプキーの溝のスロープ１４が、勢い良く下ピン５に衝突し、図７に示すごとく各々の下ピン５ａ〜５ｆに一斉に衝突エネルギーが伝わる。その次の瞬間、各々の下ピンに伝わった衝突エネルギーは、各々と対をなす上ピン４ａ〜４ｆに伝達され跳ね上げられる結果、図８に示すごとく下ピンと上ピンとの間に隙間ができ、シャーライン１５がフリーになって、回転応力が掛けられた方向に内筒２が回転する。但し、図８のような状況を作り出すために、１回ないし複数回、バンプキー８の頭１３をハンマーのようなもので叩き込む必要がある。ここでバンプキーをシリンダー内筒に叩き込む工具としてハンマーを一例に挙げているが、特にハンマーに限定されるものではなく、その素材も自由に選択できる。例えば、木槌やドライバーの柄など叩ける形状のものであれば良く、素材としても木材からプラスチック、ゴム材、スチールなどの金属まで下ピンに勢いよく衝突エネルギーを与えられるものであれば何でも利用可能である。
この方法によれば、ピンの本数、下ピンや上ピンの形状、下ピンとバンプキーとの接触角度、ピンの材質などに係わらず、上ピンと下ピンから構成される全てのピンシリンダーに適応可能な解錠方法を提供できる。
【実施例２】
【０００９】
以下、本発明のバンプキーを二重素子ピンのシリンダー用に製作して適用した実施例について説明する。
本発明に係るバンプキーの一態様を図とともに説明する。図９は二重素子ピン列５ピンとサイドピン列４ピンから構成されるシリンダー用のバンプキーの平面図、図１０はサイドピン用の溝が切削された部分、すなわち図９のＡ‐Ａ線における断面図、図１１は、二重素子ピン用の溝が切削された部分、すなわち図９のＢ‐Ｂ線における断面図を示している。本発明に係わる二重素子ピンのシリンダー用のバンプキー１６は、幅８．９５ｍｍ、厚み２．４７ｍｍ、長さ６８ｍｍの板状の金属を図１０に示すごとく、シリンダー内筒に作られているキーウェイに対応した溝２２ａないし２２ｄが、バンプキー１６をリバーシブルに挿入可能な状態に裏表に切削されている。ここで、バンプキーの形状は、この大きさに限定されるものではなく、内筒に挿入可能な限りの幅が許される。また長さに関しては、バンプキーが挿入される反対側の端、すなわちキーヘッド２６の部分が叩けるほど内筒よりも突出した状態であれば良く、形状も自由に形成できるが、好ましくは何らかの方法で回転応力が掛けられるくらいの余裕もった長さと形状が適当であって、少なくとも３８ｍｍ以上の長さを有していればよい。さらにキーウェイに対応した切削も、内筒に挿入できればよく、形状は特に限定されるものではない。一方、内筒に挿入される一端２３は、内筒に挿入し易いように切削したスロープ２４ないし２５を設けてもよい。ここで用いる二重素子ピンのシリンダー錠は、ピンの配列をキーの先端からのピッチに合うように構成されている、いわゆる先端合わせのキーを用いているため、基本的なバンプキーの切削も、キーの先端側からの距離で製作すると作り易い。ここで基本的という文言を使用した理由は、下ピンとの効果的な衝突を起こし易いように、各々の溝の傾斜面（スロープ）１９’ないし２０’が接触するために、各々の下ピンの位置とバンプキーの溝との位置に若干のズレを作ることが望ましいため、そのズレを作るために、まず基本的なバンプキーを製造した後、バンプキーの先端（内筒側に挿入される側）を適当な長さ切削して衝突を効率的に行わせるようにするとよい。切削する長さに制限はないが、下ピンと下ピンとの間隔４．８ｍｍ以内が好ましい。
用意したバンプキー用の板に下ピンに対応した溝を切削して基本的なバンプキーを製作する工程について、二重素子ピンとサイドピンに分けて説明する。図１２、図１３に下ピンに対応したバンプキーの基本的な形状と、図１４ないし図１６にその具体的な数値と共にバンプキーの寸法を例示したが、この数値に限定されるものではない。二重素子ピンの切削には、図９に示したように、用意したバンプキー用の板に内筒に挿入される側の先端２３から５．３ｍｍの位置２８に第１番面の下ピンに対応した、底面１９ａをもつアウターナルロワーピン用の溝と、底面２０ａをもつインターナルロワーピン用の溝をセットとして切削する。ここで、各々の溝には適当な角度の傾斜があり、それぞれに対応した下ピンの形状をこの溝に納めると同時に、この傾斜で跳ね上げる効果が得られれば特に限定されるものではないが、９４°くらいの傾斜をもつ溝が好ましい。このような溝を第１の下ピンから順に４．８ｍｍ間隔で第５番面の下ピンの溝１９ｅないし２０ｅまで切削加工する。ここで、これらの溝の切削は、板に対して片側面３１ａだけでもよいが、リバーシブルに使用する必要があれば、裏面の３１ｂも同様に切削することができる。アウターナルロワーピン用の溝の底面１９は、残厚が０．９５ｍｍ、インターナルロワーピンの残厚は０．４５ｍｍあればよいが、この数値は特に限定されるものではなく、下ピンが板の溝に納まった状態で、下ピンと上ピンとの境界面がシャーラインと一致して内筒がフリーになるような適当な数値でも構わないし、下ピンと上ピンとの境界面がシャーラインよりも下方（内筒側）に位置するくらいでもよい。次に、サイドピン用の溝の切削であるが、３１ａ面に二重素子ピン用の溝を切削した場合には、２１ａないし２１ｅ側にサイドピン用の溝を切削する必要がある。第１番面の溝は、板の先端２３から７．７ｍｍの位置に２１ａの溝を切削し、ここから第５番目まで４．８ｍｍ間隔で同様の溝を切削する。通常のシリンダーには、第４番目までのサイドピンしか使用されていないため、少なくとも第４番目まで切削して溝を加工すればよく、第５番目の溝は必ずしも必要でない場合がある。
以上が、二重素子ピンを下ピンに用いたシリンダーの基本的なバンプキーの構造であるが、さらにこれらの応用として、アンダー・マスターピンを用いたシリンダーについてのバンプキーも同様に製作することができる。アンダー・マスターピンを用いたシリンダーのバンプキーは、基本となるバンプキー２５に、さらにアンダー・マスターピンに対応した切削が必要となる。図１２に示すごとく、アンダー・マスターピンに対応した溝３５ａないし３５ｅを３１ａ面に切削する。その位置は、先端２３からサイドピンと同じ位置になるように切削するが、例えば、３１ａ面に二重素子ピン用の溝を切削する場合には、その裏側の３１ｂ面に溝３５ｆないし３５ｊを切削する。従って、図１２の溝３５ａないし３５ｅは、３１ｂ面に切削した二重素子ピン用の溝に対応したアンダー・マスターピン用の溝である。アンダー・マスターピンに対応した溝は、図１６に示すように残厚が１．９５ｍｍ以下になるような溝を切削することができる。
以上のようにして製作されたバンプキーは、具体的にはエイ・エス・アイ社製「ロイヤル★ガーディアン」シリンダーに適応可能であるが、インタラクティブ・ピンを使用しているマルティロックテクノロジー社製「ＭＵＬ‐Ｔ‐ＬＯＣＫ」シリンダーに応用する場合には、専用のインタラクティブ・ピンを内蔵したブランクキーもしくは対応した構造を有する板に、そのインタラクティブ・ピンの部分を除く全ての位置に前述と同様の切削加工を施せばよい。例えば、インタラクティブ・ピンを内蔵したシリンダーに対応したバンプキーの場合は、インタラクティブ・ピンに対応した板またはブランクキーを使用する以外、全て二重素子ピンの基本的なバンプキーと同様に製作することができる。インタラクティブ・ピンの位置さえ、シリンダーと対応したものであれば良く、例えばキーの先端から４番目にインタラクティブ・ピンを用いたシリンダーの場合は、それに対応した構造を持つ板またはブランクキーを使用して同様に切削すれば良い。この場合、サイドピン用の溝も同様に切削することも可能である。
【実施例３】
【００１０】
以下、本発明のバンプキーをゴール社製「ディンプルキー・Ｖ１８」シリンダー用に製作して適用した実施例について説明する。
本発明に係るバンプキーの一態様を図とともに説明する。図１７は「ディンプルキー・Ｖ１８」シリンダー用のバンプキーの平面図を示し、図１８は側面図、図１９は図１７のＡ‐Ａ線における断面図、図２０はバンプキーの先端４０側からの正面図を示している。ここで図１７は、対象となるシリンダーの構造によってリバーシブルに使用できるようなバンプキーを示している。当該バンプキーに重要な形状は、シリンダー内筒に挿入される部分４７であって、内筒部分から出ている部分、すなわちキーヘッド４２の形状及び長さは自由に成形でき限定されるものではない。図１７ないし図２０に示すごとく、バンプキー３７は、内筒に挿入されるように適当なキーウェイ３８、３８’と、先端４０側には内筒に挿入する際に無理なく下ピンを潜って奥まで進めるようなスロープ（傾斜面）４１を成形できる。シリンダー内筒に挿入される部分４７には、図１７ないし図１８に示すごとくシリンダー内筒に配置された下ピンに対応する位置に、複数の溝が切削されている。すなわち、シリンダーの上部から垂直に位置する下ピンと、両サイドから水平に位置する２列の下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図１９に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。下ピンに合わせた複数の溝の配置については、図１７に示すごとく、中心線Ｌを境にして、上方か下方のどちらか一方に溝を切削すればよく、図はリバーシブルに利用できるようにバンプキー本体の中心線Ｌを軸に線対称の配置をとっている。例えば、シリンダーにバンプキーを挿入した際には、中心線Ｌよりも上方に位置する水平ピンに対応した溝４４ａ〜４４ｇとその反対側に位置する水平ピンに対応した溝４６ａ’〜４６ｇ’（図示していない）、ならびに垂直ピンに対応した溝４３ａ〜４３ｇがバンプキーの役目を果たす。一方、下方を使用する場合には、水平ピンに対応した溝４６ａ〜４６ｇと、その反対側の４４ａ’〜４４ｇ’（図示していない）、ならびに垂直ピンに対応した溝４５ａ〜４５ｇがバンプキーの役目を果たす。ここで、溝の数については、特に限定されないが、対象となるシリンダーに内装されている下ピン全てに対応していればよく、最大で１列７ピン分の溝があれば全てのシリンダーに対応できる。
上記の条件に基づいて製作した具体的なバンプキーの一例を寸法とともに図２１ないし図２４に示した。ここで具体的に挙げた数値は目安であって、これに限定されるものではない。
さて、「ディンプルキー・Ｖ１８」シリンダーは、下ピンの配置（ピッチ）とキーの溝との関係をキーの鍵元部３９で調整しているため、図２１ないし図２４の寸法で製作したバンプキーを実際に開錠のために使用する際には、対象となるシリンダーに合わせて鍵元部３９を削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部３９を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部３９で下ピンとバンプキーの溝の位置を調整する以外に、次のような方法も適用できる。図１７ないし図１８には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図２１ないし図２２の位置関係を保持した状態で同型の楕円溝を成形することが望ましい。
【実施例４】
【００１１】
以下、本発明のバンプキーを美和ロック社製「ＪＮ」シリンダー用に製作して適用した実施例について説明する。
本発明に係るバンプキーの一態様を図とともに説明する。図２５はＪＮシリンダー用のバンプキーの平面図を示し、図２６は図２５のＡ‐Ａ線における断面図、図２７は図２５のＢ‐Ｂ線における断面図、図２８は図２５のＣ‐Ｃ線における断面図、図２９は図２５のＤ‐Ｄ線における断面図である。
ここで図２５は、対象となるシリンダーの構造によってリバーシブルに使用できるようなバンプキーを示しているが、必ずしも図のような配置でリバーシブル用に溝を形成する必要はない。当該バンプキーに重要な形状は、シリンダー内筒に挿入される部分５７であって、内筒部分から出ている部分、すなわちキーヘッド４９の形状及び長さは自由に成形でき限定されるものではない。図２５に示すごとく、バンプキー４８は、内筒に挿入される先端５１側には内筒に挿入する際に無理なく下ピンを潜って奥まで進めるようなスロープ（傾斜面）５２を成形できる。シリンダー内筒に挿入される部分５７には、図２５に示すごとくシリンダー内筒に配置された下ピンに対応する位置に、複数の溝が切削されている。すなわち、垂直上部方向から左右にそれぞれ４５度の角度に配置された２列の下ピンと、両サイドから水平に位置する２列の下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図２６ないし図２９に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。下ピンに合わせた複数の溝の配置については、図２５に示すごとく、中心線Ｌに対して、どちらか一方に溝を切削すればよく、図はリバーシブルに利用できるようにバンプキー本体の中心線Ｌを軸に線対称の配置をとっている。例えば、シリンダーにバンプキーを挿入した際には、中心線Ｌよりも下方に位置する水平ピンに対応した溝５５ａ〜５５ｆとその反対側に位置する水平ピンに対応した溝５３ａ’〜５３ｅ’（図示していない）、ならびに斜４５度の角度に配置された下ピンに対応した溝５６ａ〜５６ｆとその反対側に位置するもう１列の斜４５度の角度に配置された下ピンに対応した溝５４ａ’〜５４ｅ’（図示していない）がバンプキーの役目を果たす。これで片側だけのバンプキーとして作用するが、リバーシブルにする場合には、図２５の中心線Ｌの上方にも溝加工をする必要がある。その場合には、水平ピンに対応した溝５３ａ〜５３ｅと、その反対側の５５ａ’〜５５ｆ’（図示していない）、ならびに斜４５度の角度に対応した下ピン用の溝５４ａ〜５４ｅとその反対側に位置するもう１列の斜４５度の角度に配置された下ピンに対応した溝５６ａ’〜５６ｆ’（図示していない）がバンプキーの役目を果たす。ここで、溝の数については、特に限定されないが、対象となるシリンダーに内装されている下ピン全てに対応していればよく、最大で１列６ピン分の溝があれば全てのシリンダーに対応できる。
上記の条件に基づいて製作した具体的なバンプキーの一例を寸法とともに図３０ないし図３５に示した。ここで具体的に挙げた数値は目安であって、これに限定されるものではない。
さて、ＪＮシリンダーは、下ピンの配置（ピッチ）とキーの溝との関係をキーの鍵元部５０で調整しているため、図３０ないし図３５の寸法で製作したバンプキーを実際に開錠のために使用する際には、対象となるシリンダーに合わせて鍵元部５０を適当な寸法で削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部５０を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部５０で下ピンとバンプキーの溝の位置を調整する以外に、次のような方法も適用できる。図２５ないし図３５には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図３０ないし図３２の位置関係を保持した状態で同型の楕円溝を成形することが望ましい。
さて、当該シリンダーには、水平方向に配置された下ピンと斜４５度の角度に配置された下ピンとの配置の仕方によって、図２５とは異なるピンに配列が考えられるため、バンプキーとしては、図３７ないし図３９に図示したような配列も考慮される。これらは水平方向のピンと斜４５度に配置されたピンの組み合せ方が異なるだけで、それぞれのピン間隔（ピッチ）や深さ等は図３０ないし図３５に準ずるので詳細は割愛する。
上記のＪＮシリンダー用バンプキーは、それと同等の日本カバ社製「カバスター」シリンダーとも互換性があり、バンプキーの先端のスロープ５２を内筒にスムーズに挿入できるように工夫することによって、共通に使用することが可能である。また、これらの応用として、水平方向の下ピンと斜４５度の下ピンの本数を増やした同社の製品、「オリオン２６」や「オリオン２９」にも溝の数とピッチ等を調整することによって対応することが可能となる。
【実施例５】
【００１２】
以下、本発明のバンプキーをウエスト社製「ディンプルシリンダー９１６」用に製作して適用した実施例について説明する。
本発明に係るバンプキーの一態様を図とともに説明する。図４０はディンプルシリンダー９１６用のバンプキーの平面図を示し、図４１は図４０のＡ‐Ａ線における断面図を示している。ここで図４０は、対象となるシリンダーの構造によってリバーシブルに使用できるようなバンプキーを示している。当該バンプキーに重要な形状は、シリンダー内筒に挿入される部分６３であって、内筒部分から出ている部分、すなわちキーヘッド５９の形状及び長さは自由に成形でき限定されるものではない。図４０ないし図４１に示すごとく、バンプキー５８は、内筒に挿入され易いように先端６１側には適当なスロープ（傾斜面）６２を成形できる。シリンダー内筒に挿入される部分６３には、図４０に示すごとくシリンダー内筒に配置された下ピンに対応する位置に、複数の溝が切削されている。すなわち、シリンダーの水平方向両側（２列）に位置する下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図４１に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。下ピンに合わせた複数の溝の配置については、図４０に示すごとく、中心線Ｌを境にして、上方か下方のどちらか一方に溝を切削すればよく、図はリバーシブルに利用できるようにバンプキー本体の中心線Ｌを軸に線対称の配置をとっている。例えば、シリンダーにバンプキーを挿入した際には、中心線Ｌよりも上方に位置する水平ピンに対応した溝６４ａ〜６４ｆとその反対側に位置する水平ピンに対応した溝６５ａ’〜６５ｆ’（図示していない）がバンプキーの役目を果たす。一方、下方を使用する場合には、水平ピンに対応した溝６５ａ〜６５ｆと、その反対側の６４ａ〜６４ｆ’（図示していない）がバンプキーの役目を果たす。ここで、溝の数については、特に限定されないが、対象となるシリンダーに内装されている下ピン全てに対応していればよく、最大で１列６ピン分の溝があれば全てのシリンダーに対応できる。
上記の条件に基づいて製作した具体的なバンプキーの一例を寸法とともに図４２ないし図４３に示した。ここで具体的に挙げた数値は目安であって、これに限定されるものではない。
さて、「ディンプルシリンダー９１６」シリンダーは、下ピンの配置（ピッチ）とキーの溝との関係をキーの鍵元部６０で調整しているため、図４２ないし図４３の寸法で製作したバンプキーを実際に開錠のために使用する際には、対象となるシリンダーに合わせて鍵元部６０を適当に削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部６０を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部６０で下ピンとバンプキーの溝の位置を調整する以外に、次のような方法も適用できる。図４０ないし図４１には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図４２ないし図４３の位置関係を保持した状態で同型の楕円溝を成形することが望ましい。
ここで示したディンプルシリンダー９１６の例を応用し、斜にもピンが配列された同社のディンプルシリンダー９１７に関しても、３列２０ピンの下ピンに対応したピッチ間隔と溝の深さ、シリンダー内筒に挿入できる板の形状を適当に調整することによって、同様にバンプキーが成形できる。
【実施例６】
【００１３】
以下、本発明のバンプキーをシブタニ社製「クラビスＱ１８型」シリンダー用に製作して適用した実施例について説明する。
本発明に係るバンプキーの一態様を図とともに説明する。図４４はクラビスＱ１８型用のバンプキーの側面図を示し、図４５は図４４の反対側の側面図、図４６は先端側からの正面図、図４７は図４４のＡ‐Ａ線における断面図、図４８は図４４のＢ‐Ｂ線における断面図を示している。ここで図４４ないし図４８は、対象となるシリンダーに対して、片面しか使用できない、つまりリバーシブルに使用できないバンプキーを示している。当該バンプキーをリバーシブルに使用できるように各ピンに対応した溝を切削すると、バンプキーとして重要なスロープがうまく形成できない場合があるため、できればこのような片面のバンプキーが好ましいが、特に限定されるわけではない。当該バンプキーに重要な形状は、シリンダー内筒に挿入される部分７１であって、内筒部分から出ている部分、すなわちキーヘッド６７の形状及び長さは自由に成形でき限定されるものではない。図４４ないし図４６に示すごとく、バンプキー６６は、先端６９側に内筒に挿入する際に無理なく下ピンを潜って奥まで進めるようなスロープ（傾斜面）７０を成形できる。シリンダー内筒に挿入される部分７１には、図４４ないし図４５に示すごとくシリンダー内筒に配置された下ピンに対応する位置に、複数の溝が切削されている。すなわち、シリンダーの斜左右４５度の角度に配置された２列の下ピンと、両サイドから水平に位置する２列の下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図４７ないし図４８に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。下ピンに合わせた複数の溝の配置については、図４４に示すごとく、バンプキー本体の中心線Ｌを境にして、上方か下方のどちらか一方に溝を切削すればよいが、図は片面のみを利用できるように当該中心線Ｌよりも上方に溝を成形している。例えば、シリンダーにバンプキーを挿入した際には、水平ピンに対応した溝７３ａ〜７３ｅとその反対側に位置する水平ピンに対応した溝７５ａ〜７５ｄ、ならびに斜４５度に配置された下ピンに対応した溝７２ａ〜７２ｄならびに、その反対側に位置する７４ａ&#12316;７４ｅがバンプキーの役目を果たす。ここで、溝の数については、特に限定されないが、対象となるシリンダーに内装されている下ピン全てに対応していればよく、最大で１列５ピン分の溝があれば全てのシリンダーに対応できる。
上記の条件に基づいて製作した具体的なバンプキーの一例を寸法とともに図４９ないし図５３に示した。ここで具体的に挙げた数値は目安であって、これに限定されるものではない。
さて、「クラビスＱ１８型」シリンダーは、下ピンの配置（ピッチ）とキーの溝との関係をキーの鍵元部６８で調整しているため、図４９ないし図５３の寸法で製作したバンプキーを実際に開錠のために使用する際には、対象となるシリンダーに合わせて鍵元部６８を適当に削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部６８を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部６８で下ピンとバンプキーの溝の位置を調整する以外に、次のような方法も適用できる。図４４ないし図５３には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図４９ないし図５３の位置関係を保持した状態で同型の楕円溝を成形することが望ましい。
ここで示したクラビスＱ１８型の例を応用し、斜にさらに１列ピンが配列された同社の「クラビスＦ２２型」シリンダーに関しても、内筒に挿入できる板の形状、５列２２ピンに対応したピッチ間隔と溝の深さを適当に調整することによってバンプキーが成形できる。
【実施例７】
【００１４】
以下、本発明のバンプキーをアルファ社製「ＦＢロック」シリンダー用に製作して適用した実施例について説明する。
本発明に係るバンプキーの一態様を図とともに説明する。図５４はＦＢロック用のバンプキーの平面図を示し、図５５は図５４のＡ‐Ａ線における断面図、図５６は図５４のＢ‐Ｂ線における断面図、図５７は図５４のＣ‐Ｃ線における断面図を示している。ここで図５４は、対象となるシリンダーの構造によってリバーシブルに使用できるようなバンプキーを示している。当該バンプキーに重要な形状は、シリンダー内筒に挿入される部分８１であって、内筒部分から出ている部分、すなわちキーヘッド７７の形状及び長さは自由に成形でき限定されるものではない。図５４ないし図５７に示すごとく、バンプキー７６は、先端７９側には内筒に挿入する際に無理なく下ピンを潜って奥まで進めるようなスロープ（傾斜面）８０を成形できる。シリンダー内筒に挿入される部分８１には、図５４ないし図５７に示すごとくシリンダー内筒に配置された下ピンに対応する位置に、複数の溝が切削されている。すなわち、シリンダーの斜左右４５度に位置する下ピンと、両サイドから水平に位置する２列の下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図５５ないし５６に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。また、当該シリンダーの純正キーには、フローティングボールを内蔵しており、バンプキー７６も同様のフローティングボール８２、８３を内蔵することができる。下ピンに合わせた複数の溝の配置については、図５４に示すごとく、中心線Ｌを境にして、上方か下方のどちらか一方に溝を切削すればよく、図はリバーシブルに利用できるようにバンプキー本体の中心線Ｌを軸に線対称の配置をとっている。例えば、シリンダーにバンプキーを挿入した際には、中心線Ｌよりも上方に位置する水平ピンに対応した溝８４ａ〜８４ｄならびにフローティングボール８２と、その反対側に位置する水平ピンに対応した溝８６ａ’〜８６ｅ’（図示していない）、ならびに左右の斜４５度に配置されている下ピンに対応した溝８５ａ〜８５ｅとその反対側に位置する斜方向の下ピンに対応した溝８７ａ’〜８７ｅ’（図示していない）がバンプキーの役目を果たす。一方、下方を使用する場合には、水平ピンに対応した溝８６ａ〜８６ｅと、その反対側の８４ａ’〜８４ｄ’（図示していない）、ならびにフローティングボール８３と、左右の斜４５度に配置されている下ピンに対応した溝８７ａ〜８７ｅと、その反対側に位置する斜方向の下ピンに対応した溝８５ａ’〜８５ｅ’（図示していない）がバンプキーの役目を果たす。ここで、溝の数については、特に限定されないが、対象となるシリンダーに内装されている下ピン全てに対応していればよく、最大で１列５ピン分の溝があれば全てのシリンダーに対応できる。
上記の条件に基づいて製作した具体的なバンプキーの一例を寸法とともに図５８ないし図６１に示した。ここで具体的に挙げた数値は目安であって、これに限定されるものではない。
さて、「ＦＢロック」シリンダーは、下ピンの配置（ピッチ）とキーの溝との関係をキーの鍵元部７８で調整しているため、図５８ないし図６１の寸法で製作したバンプキーを実際に開錠のために使用する際には、対象となるシリンダーに合わせて鍵元部７８を削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部７８を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部７８で下ピンとバンプキーの溝の位置を調整する以外に、次のような方法も適用できる。図５４ないし図６１には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図５８ないし図６１の位置関係を保持した状態で同型の楕円溝を成形することが望ましい。
【実施例８】
【００１５】
以下、本発明のバンプキーをユーシン・ショウワ社製「ＮｅｗＸキー」シリンダー用に製作して適用した実施例について説明する。
本発明に係るバンプキーの一態様を図とともに説明する。図６２はＮｅｗＸキー用のバンプキーの平面図を示し、図６３は部分側面図、図６４は図６２のＡ‐Ａ線における断面図、図６５はバンプキーの先端９１側からの正面図、図６６は図６３のＢ‐Ｂ線における断面図を示している。ここで図６２は、対象となるシリンダーの構造によってリバーシブルに使用できるようなバンプキーを示している。当該バンプキーに重要な形状は、シリンダー内筒に挿入される部分９３であって、内筒部分から出ている部分、すなわちキーヘッド８９の形状及び長さは自由に成形でき限定されるものではない。図６２ないし図６６に示すごとく、バンプキー８８は、内筒に挿入されるように適当なキーウェイ９７、９７’と、先端９１側には内筒に挿入する際に無理なく下ピンを潜って奥まで進めるようなスロープ（傾斜面）９２を成形できる。シリンダー内筒に挿入される部分９３には、図６２ないし図６６に示すごとくシリンダー内筒に配置された下ピンに対応する位置に、複数の溝が切削されている。すなわち、シリンダーの上部から垂直に位置する下ピンと、両サイドから水平に位置する２列の下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図６４及び図６６に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。水平方向２列の下ピンに合わせた複数の溝の配置については、図６２に示すごとく、中心線Ｌを境にして、上方か下方のどちらか一方に溝を切削すればよく、図はリバーシブルに利用できるようにバンプキー本体の中心線Ｌを軸に線対称の配置をとっている。例えば、シリンダーにバンプキーを挿入した際には、中心線Ｌよりも上方に位置する水平ピンに対応した溝９４ａ〜９４ｇとその反対側に位置する水平ピンに対応した溝９５ａ’〜９５ｆ’（図示していない）、ならびに垂直ピンに対応した溝９６ａ’〜９６ｆ’（図示していない）がバンプキーの役目を果たす。一方、下方を使用する場合には、水平ピンに対応した溝９５ａ〜９５ｆと、その反対側の９４ａ’〜９４ｇ’（図示していない）、ならびに垂直ピンに対応した溝９６ａ〜９６ｆがバンプキーの役目を果たす。ここで、溝の数については、特に限定されないが、対象となるシリンダーに内装されている下ピン全てに対応していればよく、最大で１列７ピン分の溝があれば全てのシリンダーに対応できる。
上記の条件に基づいて製作した具体的なバンプキーの一例を寸法とともに図６７ないし図７２に示した。ここで具体的に挙げた数値は目安であって、これに限定されるものではない。
さて、「ＮｅｗＸキー」シリンダーは、下ピンの配置（ピッチ）とキーの溝との関係をキーの鍵元部９０で調整しているため、図６７ないし図７２の寸法で製作したバンプキーを実際に開錠のために使用する際には、対象となるシリンダーに合わせて鍵元部９０を削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部９０を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部９０で下ピンとバンプキーの溝の位置を調整する以外に、次のような方法も適用できる。図６２ないし図６６には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図６７ないし図７２の位置関係を保持した状態で同型の楕円溝を成形することが望ましい。
ここで示したＮｅｗＸキーの例を応用し、シリンダー内筒に挿入できる板の形状、１列あたり最大７ピンの３列シリンダーに対応したピッチ間隔と溝の深さを適当に調整することによって、シブタニ社製のＴＣシリンダーに適用可能なバンプキーも成形できる。
【実施例９】
【００１６】
以下、本発明のバンプキーを日中製作所社製「ＳＥＰＡ・ＨＤＨディンプル」シリンダー用に製作して適用した実施例について説明する。
本発明に係るバンプキーの一態様を図とともに説明する。図７２はＳＥＰＡ・ＨＤＨディンプル用のバンプキーの平面図を示し、図７３は側面図、図７４は図７２のＡ‐Ａ線における断面図、図７５は図７２のＢ‐Ｂ線における断面図を示している。ここで図７２は、対象となるシリンダーの構造によってリバーシブルに使用できるようなバンプキーを示している。当該バンプキーに重要な形状は、シリンダー内筒に挿入される部分１０３であって、内筒部分から出ている部分、すなわちキーヘッド９９の形状及び長さは自由に成形でき限定されるものではない。図７２ないし図７３に示すごとく、バンプキー９８は、先端１００側に内筒に挿入する際に無理なく下ピンを潜って奥まで進めるようなスロープ（傾斜面）１０２を成形できる。シリンダー内筒に挿入される部分１０３には、図７２ないし図７５に示すごとくシリンダー内筒に配置された下ピンに対応する位置に、複数の溝が切削されている。すなわち、シリンダーの両サイドから水平に位置する２列の下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図７４ないし図７５に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。下ピンに合わせた複数の溝の配置については、図７２に示すごとく、中心線Ｌを境にして、上方か下方のどちらか一方に溝を切削すればよく、図はリバーシブルに利用できるようにバンプキー本体の中心線Ｌを軸に線対称の配置をとっている。例えば、シリンダーにバンプキーを挿入した際には、中心線Ｌよりも上方に位置する水平ピンに対応した溝１０４ａ〜１０４ｆとその反対側に位置する水平ピンに対応した溝１０５ａ’〜１０５ｅ’（図示していない）がバンプキーの役目を果たす。一方、下方を使用する場合には、水平ピンに対応した溝１０５ａ〜１０５ｅと、その反対側の１０４ａ’〜１０４ｆ’（図示していない）がバンプキーの役目を果たす。ここで、溝の数については、特に限定されないが、対象となるシリンダーに内装されている下ピン全てに対応していればよく、最大で１列７ピン分の溝があれば全てのシリンダーに対応できる。
上記の条件に基づいて製作した具体的なバンプキーの一例を寸法とともに図７６ないし図７９に示した。ここで具体的に挙げた数値は目安であって、これに限定されるものではない。
さて、「ＳＥＰＡ・ＨＤＨディンプル」シリンダーは、下ピンの配置（ピッチ）とキーの溝との関係をキーの鍵元部１０６で調整しているため、図７６ないし図７９の寸法で製作したバンプキーを実際に開錠のために使用する際には、対象となるシリンダーに合わせて鍵元部１０６を削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部１０６を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部１０６で下ピンとバンプキーの溝の位置を調整する以外に、次のような方法も適用できる。図７２ないし図７９には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図７６ないし図７９の位置関係を保持した状態で同型の楕円溝を成形することが望ましい。
ここで示したＳＥＰＡ・ＨＤＨディンプルの例を応用し、シリンダー内筒に挿入できる板の形状、２列の６〜７本の水平ピンに対応したピッチ間隔と溝の深さを適当に調整することによって、フキ社のＴｉｒｋｅｙシリンダーやユーシン・ショウワ社製のＸキーシリンダー等にも適用可能なバンプキーも成形できる。
【実施例１０】
【００１７】
以下、本発明のバンプキーをゴール社製「ディンプルキー・グランブイ（ＧＶ）」シリンダー用に製作して適用した実施例について説明する。
本発明に係るバンプキーの一態様を図とともに説明する。図８０は「ディンプルキー・グランブイ（ＧＶ）」シリンダー用のバンプキーの平面図を示し、図８１は側面図、図８２はバンプキーの先端１１２側からの正面図、図８３は図８０のＡ‐Ａ線における断面図、図８４は図８１のＢ‐Ｂ線における断面図を示している。ここで図８０は、対象となるシリンダーの構造によってリバーシブルに使用できるようなバンプキーを示している。当該バンプキーに重要な形状は、シリンダー内筒に挿入される部分１１３であって、内筒部分から出ている部分、すなわちキーヘッド１０８の形状及び長さは自由に成形でき限定されるものではない。図８０ないし図８４に示すごとく、バンプキー１０７は、内筒に挿入されるように適当なキーウェイ１１０、１１０’と、先端１１２側には内筒に挿入する際に無理なく下ピンを潜って奥まで進めるようなスロープ（傾斜面）１１１を成形できる。シリンダー内筒に挿入される部分１１３には、図８０ないし図８１に示すごとくシリンダー内筒に配置された下ピンに対応する位置に、複数の溝が切削されている。すなわち、シリンダーの上部から垂直に位置する下ピンと、両サイドから水平に位置する２列の下ピンに対応した位置全てに溝を作る必要がある。その溝の深さは、内筒に納められる最も長い下ピンが上ピンとの境界面をシャーラインと一致させる部分に合わせるような深さか、それ以上に境界面が内筒側に入るくらいの深さでも良く、少なくともバンプキーを挿入した際に全ての下ピンがシャーラインを跨がない状態になるように切削されていれば、特に限定されるものではない。また溝の形状も図８３ないし図８４に示すごとく下ピンの先端に合わせて適当な大きさの形状、好ましくは適当な角度の円錐台や円錐状で切削されていれば良く、下ピンに衝突した際に、下ピンを効率良く外筒側に跳ね上げる力が加わるようなスロープを有することが好ましい。下ピンに合わせた複数の溝の配置については、図８０に示すごとく、中心線Ｌを境にして、上方か下方のどちらか一方に溝を切削すればよく、図はリバーシブルに利用できるようにバンプキー本体の中心線Ｌを軸に線対称の配置をとっている。例えば、シリンダーにバンプキーを挿入した際には、中心線Ｌよりも上方に位置する水平ピンに対応した溝１１４ａ〜１１４ｈとその反対側に位置する水平ピンに対応した溝１１５ａ’〜１１５ｈ’（図示していない）、ならびに垂直ピンに対応した溝１１６ａ〜１１６ｈがバンプキーの役目を果たす。一方、下方を使用する場合には、水平ピンに対応した溝１１５ａ〜１１５ｈと、その反対側の１１４ａ’〜１１４ｈ’（図示していない）、ならびに垂直ピンに対応した溝１１６ａ’〜１１６ｈ’（図示していない）がバンプキーの役目を果たす。ここで、溝の数については、特に限定されないが、対象となるシリンダーに内装されている下ピン全てに対応していればよく、最大で１列８ピン分の溝があれば全てのシリンダーに対応できる。
上記の条件に基づいて製作した具体的なバンプキーの一例を寸法とともに図８５ないし図８９に示した。ここで具体的に挙げた数値は目安であって、これに限定されるものではない。
さて、「ディンプルキー・グランブイ（ＧＶ）」シリンダーは、下ピンの配置（ピッチ）とキーの溝との関係をキーの鍵元部１０９で調整しているため、図８５ないし図８９の寸法で製作したバンプキーを実際に開錠のために使用する際には、対象となるシリンダーに合わせて鍵元部１０９を削って調整することができる。すなわち、それぞれの下ピンが、対応した溝にぴったり納まっている状態ではなく、溝のスロープに衝突して跳ね上がるように調整しなければバンプキーとしての十分な効果は得られない。鍵元部１０９を削る幅は、バンプキーをシリンダー内筒に挿入して適当な衝突エネルギーを加えるためにハンマーなどで叩き込んだ際に、効率良く下ピンが弾き飛ばされる程度の幅が好ましい。特に限定されるものではないが、好ましくは０．１〜１．０ｍｍ程度の幅で適当に調整できる。バンプキーとして効果的に下ピンを跳ね上げるために、鍵元部１０９で下ピンとバンプキーの溝の位置を調整する以外に、次のような方法も適用できる。図８３ないし図８４には、下ピンと接触する位置を中心に溝を円型で成形しているが、溝を楕円型で成形することによって、下ピンとの位置関係をずらし、バンプキーを叩き込んだ際に下ピンがスロープに当るようにすることもできる。但し、１本のピンでもスロープに当らないとバンプキーとしての効果は得られないので、図８５ないし図８６の位置関係を保持した状態で同型の楕円溝を成形することが望ましい。
【産業上の利用可能性】
【００１８】
本発明のバンプキーは、その効率的な原理故、対応したピンシリンダーであれば短時間でいとも簡単に開錠が可能となるから、鍵を紛失した場合などの開錠作業が、この開錠専用バンクキーにより熟練した技術や経験は全く必要なく容易に行うことができる顕著な効果が得られる。
言い換えれば、本発明のバンプキーさえ手に入れば、子供でも簡単に操作して不正開錠が出来てしまうほどの技術であり、この技術が犯罪に用いられることが我々の最も懸念しなければならない問題である。
したがって、本発明に係るバンプキーについての特許の取得によって、我が国の防犯体制の弱点を補う意味で、バンプキーの乱用、流通に対して特許法による規制をかけて、犯罪に用いられないような対策を講じ得ることとなり、実に社会的意味が大きい。
【図面の簡単な説明】
【００１９】
【図１】上ピンと下ピンから構成される６本ピンのシリンダー断面図である。
【図２】図１のピンシリンダーに使用される純正キーの側面図である。
【図３】本発明に係る６本ピン用のバンプキーの側面図である。
【図４】本発明に係るバンプキーのショルダーを削った形状のバンプキーの一態様図。純正キーとの比較をわかりやすく示したもの。
【図５】本発明に係るバンプキーをピンシリンダー錠の内筒に挿入した状態の断面図である。
【図６】本発明に係るバンプキーの切削形状と下ピンとの接触部分を示す断面図である。
【図７】本発明に係るバンプキーをピンシリンダー錠の内筒に叩き込んだ瞬間にバンプキーから下ピンに衝突エネルギーが伝達した瞬間の断面図である。
【図８】下ピンからの衝突エネルギーが上ピンに伝達し、跳ね上がった状態を示す断面図である。
【図９】代表的な二重素子ピン・シリンダー用のバンプキーの平面図である。
【図１０】図９のＡ‐Ａ線における断面図である。
【図１１】図９のＢ‐Ｂ線における断面図である。
【図１２】アンダー・マスターピンを使用している二重素子ピン・シリンダー用のバンプキーの平面図である。
【図１３】図１２のＡ‐Ａ線における断面図である。
【図１４】図１２の好ましい一例として、具体的な寸法を表示した二重素子ピン・シリンダー用のバンプキーの平面図である。
【図１５】図１４のＡ‐Ａ線における断面図である。
【図１６】図１４のＢ‐Ｂ線における断面図である。
【図１７】「ディンプルキー・Ｖ１８」シリンダー用のバンプキーの平面図である。
【図１８】「ディンプルキー・Ｖ１８」シリンダー用のバンプキーの側面図である。
【図１９】図１７のＡ‐Ａ線における断面図である。
【図２０】バンプキーの先端４０側からの正面図である。
【図２１】図１７の好ましい一例として、具体的な寸法を表示した「ディンプルキー・Ｖ１８」シリンダー用のバンプキーの平面図である。
【図２２】図１８の好ましい一例として、具体的な寸法を表示した「ディンプルキー・Ｖ１８」シリンダー用のバンプキーの側面図である。
【図２３】図２１のＡ‐Ａ線における断面図である。
【図２４】図２１のバンプキーの先端側からの正面図である。
【図２５】ＪＮシリンダー用のバンプキーの平面図。
【図２６】図２５のＡ‐Ａ線における断面図。
【図２７】図２５のＢ‐Ｂ線における断面図。
【図２８】図２５のＣ‐Ｃ線における断面図。
【図２９】図２５のＤ‐Ｄ線における断面図。
【図３０】図２５の好ましい一例として、具体的な寸法を表示したＪＮシリンダー用のバンプキーの平面図である。
【図３１】図２５の好ましい一例として、斜４５度に配置された下ピンに対応する具体的な寸法を表示したＪＮシリンダー用のバンプキーの平面図である。
【図３２】図２５の好ましい一例として、水平に配置された下ピンに対応する具体的な寸法を表示したＪＮシリンダー用のバンプキーの平面図である。
【図３３】図３０のＡ‐Ａ線における断面図。
【図３４】図３０のＢ‐Ｂ線における断面図。
【図３５】図３０のＣ‐Ｃ線における断面図。
【図３６】図３０のＤ‐Ｄ線における断面図。
【図３７】図２５と水平ピンと斜４５度に配置された下ピンとの組み合せが異なる一態様を示したＪＮシリンダー用のバンプキーの平面図である。
【図３８】図３７と水平ピンと斜４５度に配置された下ピンとの組み合せが異なる一態様を示したＪＮシリンダー用のバンプキーの平面図である。
【図３９】図３８と水平ピンと斜４５度に配置された下ピンとの組み合せが異なる一態様を示したＪＮシリンダー用のバンプキーの平面図である。
【図４０】ディンプルシリンダー９１６用のバンプキーの平面図。
【図４１】図４０のＡ‐Ａ線における断面図。
【図４２】図４０の好ましい一例として、具体的な寸法を表示したディンプルシリンダー９１６用のバンプキーの平面図である。
【図４３】図４２のＡ‐Ａ線における断面図。
【図４４】クラビスＱ１８型用のバンプキーの右側面図。
【図４５】クラビスＱ１８型用のバンプキーの左側面図。
【図４６】クラビスＱ１８型用のバンプキー先端側からの正面図。
【図４７】図４４のＡ‐Ａ線における断面図。
【図４８】図４４のＢ‐Ｂ線における断面図。
【図４９】図４４の好ましい一例として、具体的な寸法を表示したクラビスＱ１８型用のバンプキーの平面図である。
【図５０】図４５の好ましい一例として、具体的な寸法を表示したクラビスＱ１８型用のバンプキーの平面図である。
【図５１】図４６の好ましい一例として、具体的な寸法を表示したクラビスＱ１８型用のバンプキー先端側からの正面図。
【図５２】図４４のＡ‐Ａ線における断面の好ましい一例として、具体的な寸法を表示したクラビスＱ１８型用のバンプキーの断面図。
【図５３】図４４のＢ‐Ｂ線における断面の好ましい一例として、具体的な寸法を表示したクラビスＱ１８型用のバンプキーの断面図。
【図５４】ＦＢロック用のバンプキーの平面図。
【図５５】図５４のＡ‐Ａ線における断面図。
【図５６】図５４のＢ‐Ｂ線における断面図。
【図５７】図５４のＣ‐Ｃ線における断面図。
【図５８】図５４の好ましい一例として、具体的な寸法を表示したＦＢロック用のバンプキーの平面図である。
【図５９】図５８のＡ‐Ａ線における断面図。
【図６０】図５８のＢ‐Ｂ線における断面図。
【図６１】図５８のＣ‐Ｃ線における断面図。
【図６２】ＮｅｗＸキー用のバンプキーの平面図。
【図６３】ＮｅｗＸキー用のバンプキーの部分側面図。
【図６４】図６２のＡ‐Ａ線における断面図。
【図６５】ＮｅｗＸキー用のバンプキーの先端９１側からの正面図。
【図６６】図６３のＢ‐Ｂ線における断面図。
【図６７】図６２の好ましい一例として、具体的な寸法を表示したＮｅｗＸキー用のバンプキーの平面図である。
【図６８】図６３の好ましい一例として、具体的な寸法を表示したＮｅｗＸキー用のバンプキーの部分側面図である。
【図６９】図６７のＡ‐Ａ線における断面図。
【図７０】図６５の好ましい一例として、具体的な寸法を表示した正面図。
【図７１】図６８のＢ‐Ｂ線における断面図。
【図７２】ＳＥＰＡ・ＨＤＨディンプル用のバンプキーの平面図。
【図７３】ＳＥＰＡ・ＨＤＨディンプル用のバンプキーの側面図。
【図７４】図７２のＡ‐Ａ線における断面図。
【図７５】図７２のＢ‐Ｂ線における断面図。
【図７６】図７２の好ましい一例として、具体的な寸法を表示したＳＥＰＡ・ＨＤＨディンプル用のバンプキーの平面図である。
【図７７】図７３の好ましい一例として、具体的な寸法を表示したＳＥＰＡ・ＨＤＨディンプル用のバンプキーの側面図である。
【図７８】図７６のＡ‐Ａ線における断面図。
【図７９】図７６のＢ‐Ｂ線における断面図。
【図８０】「ディンプルキー・グランブイ（ＧＶ）」シリンダー用のバンプキーの平面図である。
【図８１】「ディンプルキー・グランブイ（ＧＶ）」シリンダー用のバンプキーの側面図である。
【図８２】バンプキーの先端側からの正面図である。
【図８３】図８０のＡ‐Ａ線における断面図である。
【図８４】図８１のＢ‐Ｂ線における断面図である。
【図８５】図８０の好ましい一例として、具体的な寸法を表示した「ディンプルキー・グランブイ（ＧＶ）」シリンダー用のバンプキーの平面図である。
【図８６】図８１の好ましい一例として、具体的な寸法を表示した「ディンプルキー・グランブイ（ＧＶ）」シリンダー用のバンプキーの側面図である。
【図８７】図８２の好ましい一例として、具体的な寸法を表示した「ディンプルキー・グランブイ（ＧＶ）」シリンダー用のバンプキーの正面図である。
【図８８】図８３のＡ‐Ａ線における断面図である。
【図８９】図８４のＢ‐Ｂ線における断面図である。
【符号の説明】
【００２０】
１      ６本ピンシリンダーの外筒
２      ６本ピンシリンダーの内筒
３      スプリング
４      上ピン
５      下ピン
６      純正キー
７      切削面
８      バンプキー
９      バンプキーの切削面
１０    鍵元部
１１    バンプキーと純正キーとのカット差
１２    内筒正面と鍵元部との隙間
１３    バンプキーのヘッド
１４    スロープ
１５    シャーライン
１６    二重素子ピンシリンダー用のバンプキー
１７    内筒挿入部
１９ａ  アウターナルロワーピン底面
１９ｂ  アウターナルロワーピン底面
１９ｃ  アウターナルロワーピン底面
１９ｄ  アウターナルロワーピン底面
１９ｅ  アウターナルロワーピン底面
２０ａ  インターナルロワーピン底面
２０ｂ  インターナルロワーピン底面
２０ｃ  インターナルロワーピン底面
２０ｄ  インターナルロワーピン底面
２０ｅ  インターナルロワーピン底面
２１ａ  サイドピン溝
２１ｂ  サイドピン溝
２１ｃ  サイドピン溝
２１ｄ  サイドピン溝
２１ｅ  サイドピン溝
２２ａ  キーウェイ用溝
２２ｄ  キーウェイ用溝
２３    キー先端部
２４    スロープ
２５    スロープ
２６    キーヘッド
２８    キー先端から第１二重素子ピンまでのピッチ
２９    キー先端から第１サイドピンまでのピッチ
３０    キー中心線
３１ａ  内筒挿入部
３１ｂ  内筒挿入部
３２    サイドピン溝の傾斜角度
３３    インターナルロワーピン溝の傾斜角度
３４    アウターナルロワーピン溝の傾斜角度
３５ａ  アンダーピン溝
３５ｂ  アンダーピン溝
３５ｃ  アンダーピン溝
３５ｄ  アンダーピン溝
３５ｅ  アンダーピン溝
３６    アンダーピンの中心線
３７    ゴール社製「ディンプルキー・Ｖ１８」シリンダー用バンプキー
３８    キーウェイ用溝
３８’  キーウェイ用溝
３９    鍵元部
４０    キー先端部
４１    スロープ
４２    キーヘッド
４３ａ  垂直ピンに対応した溝
４３ｂ  垂直ピンに対応した溝
４３ｃ  垂直ピンに対応した溝
４３ｄ  垂直ピンに対応した溝
４３ｅ  垂直ピンに対応した溝
４３ｆ  垂直ピンに対応した溝
４３ｇ  垂直ピンに対応した溝
４４ａ  水平ピンに対応した溝
４４ｂ  水平ピンに対応した溝
４４ｃ  水平ピンに対応した溝
４４ｄ  水平ピンに対応した溝
４４ｅ  水平ピンに対応した溝
４４ｆ  水平ピンに対応した溝
４４ｇ  水平ピンに対応した溝
４４ａ’水平ピンに対応した溝(リバーシブル対応)
４４ｂ’水平ピンに対応した溝(リバーシブル対応)
４４ｃ’水平ピンに対応した溝(リバーシブル対応)
４４ｄ’水平ピンに対応した溝(リバーシブル対応)
４４ｅ’水平ピンに対応した溝(リバーシブル対応)
４４ｆ’水平ピンに対応した溝(リバーシブル対応)
４４ｇ’水平ピンに対応した溝(リバーシブル対応)
４５ａ  垂直ピンに対応した溝（リバーシブル対応）
４５ｂ  垂直ピンに対応した溝（リバーシブル対応）
４５ｃ  垂直ピンに対応した溝（リバーシブル対応）
４５ｄ  垂直ピンに対応した溝（リバーシブル対応）
４５ｅ  垂直ピンに対応した溝（リバーシブル対応）
４５ｆ  垂直ピンに対応した溝（リバーシブル対応）
４５ｇ  垂直ピンに対応した溝（リバーシブル対応）
４６ａ  水平ピンに対応した溝（リバーシブル対応）
４６ｂ  水平ピンに対応した溝（リバーシブル対応）
４６ｃ  水平ピンに対応した溝（リバーシブル対応）
４６ｄ  水平ピンに対応した溝（リバーシブル対応）
４６ｅ  水平ピンに対応した溝（リバーシブル対応）
４６ｆ  水平ピンに対応した溝（リバーシブル対応）
４６ｇ  水平ピンに対応した溝（リバーシブル対応）
４６ａ’水平ピンに対応した溝
４６ｂ’水平ピンに対応した溝
４６ｃ’水平ピンに対応した溝
４６ｄ’水平ピンに対応した溝
４６ｅ’水平ピンに対応した溝
４６ｆ’水平ピンに対応した溝
４６ｇ’水平ピンに対応した溝
４７    内筒挿入部
４７’  内筒挿入部
４８    美和ロック社製「ＪＮ」シリンダー用バンプキー
４９    キーヘッド
５０    鍵元部
５１    キー先端部
５２    スロープ
５３ａ  水平ピンに対応した溝
５３ｂ  水平ピンに対応した溝
５３ｃ  水平ピンに対応した溝
５３ｄ  水平ピンに対応した溝
５３ｅ  水平ピンに対応した溝
５３ａ’水平ピンに対応した溝（リバーシブル対応）
５３ｂ’水平ピンに対応した溝（リバーシブル対応）
５３ｃ’水平ピンに対応した溝（リバーシブル対応）
５３ｄ’水平ピンに対応した溝（リバーシブル対応）
５３ｅ’水平ピンに対応した溝（リバーシブル対応）
５４ａ  斜４５度ピンに対応した溝
５４ｂ  斜４５度ピンに対応した溝
５４ｃ  斜４５度ピンに対応した溝
５４ｄ  斜４５度ピンに対応した溝
５４ｅ  斜４５度ピンに対応した溝
５４ａ’斜４５度ピンに対応した溝（リバーシブル対応）
５４ｂ’斜４５度ピンに対応した溝（リバーシブル対応）
５４ｃ’斜４５度ピンに対応した溝（リバーシブル対応）
５４ｄ’斜４５度ピンに対応した溝（リバーシブル対応）
５４ｅ’斜４５度ピンに対応した溝（リバーシブル対応）
５５ａ  水平ピンに対応した溝（リバーシブル対応）
５５ｂ  水平ピンに対応した溝（リバーシブル対応）
５５ｃ  水平ピンに対応した溝（リバーシブル対応）
５５ｄ  水平ピンに対応した溝（リバーシブル対応）
５５ｅ  水平ピンに対応した溝（リバーシブル対応）
５５ｆ  水平ピンに対応した溝（リバーシブル対応）
５５ａ’水平ピンに対応した溝
５５ｂ’水平ピンに対応した溝
５５ｃ’水平ピンに対応した溝
５５ｄ’水平ピンに対応した溝
５５ｅ’水平ピンに対応した溝
５５ｆ’水平ピンに対応した溝
５６ａ  斜４５度ピンに対応した溝（リバーシブル対応）
５６ｂ  斜４５度ピンに対応した溝（リバーシブル対応）
５６ｃ  斜４５度ピンに対応した溝（リバーシブル対応）
５６ｄ  斜４５度ピンに対応した溝（リバーシブル対応）
５６ｅ  斜４５度ピンに対応した溝（リバーシブル対応）
５６ｆ  斜４５度ピンに対応した溝（リバーシブル対応）
５６ａ’斜４５度ピンに対応した溝
５６ｂ’斜４５度ピンに対応した溝
５６ｃ’斜４５度ピンに対応した溝
５６ｄ’斜４５度ピンに対応した溝
５６ｅ’斜４５度ピンに対応した溝
５６ｆ’斜４５度ピンに対応した溝
５７    内筒挿入部
５７’  内筒挿入部
５８    ウエスト社製「ディンプルシリンダー９１６」用バンプキー
５９    キーヘッド
６０    鍵元部
６１    キー先端部
６２    スロープ
６３    内筒挿入部
６４ａ  水平ピンに対応した溝
６４ｂ  水平ピンに対応した溝
６４ｃ  水平ピンに対応した溝
６４ｄ  水平ピンに対応した溝
６４ｅ  水平ピンに対応した溝
６４ｆ  水平ピンに対応した溝
６４ａ’水平ピンに対応した溝（リバーシブル対応）
６４ｂ’水平ピンに対応した溝（リバーシブル対応）
６４ｃ’水平ピンに対応した溝（リバーシブル対応）
６４ｄ’水平ピンに対応した溝（リバーシブル対応）
６４ｅ’水平ピンに対応した溝（リバーシブル対応）
６４ｆ’水平ピンに対応した溝（リバーシブル対応）
６５ａ  水平ピンに対応した溝（リバーシブル対応）
６５ｂ  水平ピンに対応した溝（リバーシブル対応）
６５ｃ  水平ピンに対応した溝（リバーシブル対応）
６５ｄ  水平ピンに対応した溝（リバーシブル対応）
６５ｅ  水平ピンに対応した溝（リバーシブル対応）
６５ｆ  水平ピンに対応した溝（リバーシブル対応）
６５ａ’水平ピンに対応した溝
６５ｂ’水平ピンに対応した溝
６５ｃ’水平ピンに対応した溝
６５ｄ’水平ピンに対応した溝
６５ｅ’水平ピンに対応した溝
６５ｆ’水平ピンに対応した溝
６６    シブタニ社製「クラビスＱ１８型」シリンダー用バンプキー
６７    キーヘッド
６８    鍵元部
６９    キー先端部
７０    スロープ
７１    内筒挿入部
７２ａ  斜４５度のピンに対応した溝
７２ｂ  斜４５度のピンに対応した溝
７２ｃ  斜４５度のピンに対応した溝
７２ｄ  斜４５度のピンに対応した溝
７３ａ  水平ピンに対応した溝
７３ｂ  水平ピンに対応した溝
７３ｃ  水平ピンに対応した溝
７３ｄ  水平ピンに対応した溝
７３ｅ  水平ピンに対応した溝
７４ａ  斜４５度のピンに対応した溝
７４ｂ  斜４５度のピンに対応した溝
７４ｃ  斜４５度のピンに対応した溝
７４ｄ  斜４５度のピンに対応した溝
７４ｅ  斜４５度のピンに対応した溝
７５ａ  水平ピンに対応した溝
７５ｂ  水平ピンに対応した溝
７５ｃ  水平ピンに対応した溝
７５ｄ  水平ピンに対応した溝
７６    アルファ社製「ＦＢロック」シリンダー用バンプキー
７７    キーヘッド
７８    鍵元部
７９    キー先端部
８０    スロープ
８１    内筒挿入部
８２    フローティングボール
８３    フローティングボール
８４ａ  水平ピンに対応した溝
８４ｂ  水平ピンに対応した溝
８４ｃ  水平ピンに対応した溝
８４ｄ  水平ピンに対応した溝
８４ａ’水平ピンに対応した溝（リバーシブル対応）
８４ｂ’水平ピンに対応した溝（リバーシブル対応）
８４ｃ’水平ピンに対応した溝（リバーシブル対応）
８４ｄ’水平ピンに対応した溝（リバーシブル対応）
８５ａ  斜４５度のピンに対応した溝
８５ｂ  斜４５度のピンに対応した溝
８５ｃ  斜４５度のピンに対応した溝
８５ｄ  斜４５度のピンに対応した溝
８５ｅ  斜４５度のピンに対応した溝
８５ａ’斜４５度のピンに対応した溝（リバーシブル対応）
８５ｂ’斜４５度のピンに対応した溝（リバーシブル対応）
８５ｃ’斜４５度のピンに対応した溝（リバーシブル対応）
８５ｄ’斜４５度のピンに対応した溝（リバーシブル対応）
８５ｅ’斜４５度のピンに対応した溝（リバーシブル対応）
８６ａ  水平ピンに対応した溝（リバーシブル対応）
８６ｂ  水平ピンに対応した溝（リバーシブル対応）
８６ｃ  水平ピンに対応した溝（リバーシブル対応）
８６ｄ  水平ピンに対応した溝（リバーシブル対応）
８６ｅ  水平ピンに対応した溝（リバーシブル対応）
８６ａ’水平ピンに対応した溝
８６ｂ’水平ピンに対応した溝
８６ｃ’水平ピンに対応した溝
８６ｄ’水平ピンに対応した溝
８６ｅ’水平ピンに対応した溝
８７ａ  斜４５度のピンに対応した溝（リバーシブル対応）
８７ｂ  斜４５度のピンに対応した溝（リバーシブル対応）
８７ｃ  斜４５度のピンに対応した溝（リバーシブル対応）
８７ｄ  斜４５度のピンに対応した溝（リバーシブル対応）
８７ｅ  斜４５度のピンに対応した溝（リバーシブル対応）
８７ａ’斜４５度のピンに対応した溝
８７ｂ’斜４５度のピンに対応した溝
８７ｃ’斜４５度のピンに対応した溝
８７ｄ’斜４５度のピンに対応した溝
８７ｅ’斜４５度のピンに対応した溝
８８    ユーシン・ショウワ社製「ＮｅｗＸキー」シリンダー用バンプキー
８９    キーヘッド
９０    鍵元部
９１    キー先端部
９２    スロープ
９３    内筒挿入部
９４ａ  水平ピンに対応した溝
９４ｂ  水平ピンに対応した溝
９４ｃ  水平ピンに対応した溝
９４ｄ  水平ピンに対応した溝
９４ｅ  水平ピンに対応した溝
９４ｆ  水平ピンに対応した溝
９４ｇ  水平ピンに対応した溝
９４ａ’水平ピンに対応した溝（リバーシブル対応）
９４ｂ’水平ピンに対応した溝（リバーシブル対応）
９４ｃ’水平ピンに対応した溝（リバーシブル対応）
９４ｄ’水平ピンに対応した溝（リバーシブル対応）
９４ｅ’水平ピンに対応した溝（リバーシブル対応）
９４ｆ’水平ピンに対応した溝（リバーシブル対応）
９４ｇ’水平ピンに対応した溝（リバーシブル対応）
９５ａ  水平ピンに対応した溝（リバーシブル対応）
９５ｂ  水平ピンに対応した溝（リバーシブル対応）
９５ｃ  水平ピンに対応した溝（リバーシブル対応）
９５ｄ  水平ピンに対応した溝（リバーシブル対応）
９５ｅ  水平ピンに対応した溝（リバーシブル対応）
９５ｆ  水平ピンに対応した溝（リバーシブル対応）
９５ａ’水平ピンに対応した溝
９５ｂ’水平ピンに対応した溝
９５ｃ’水平ピンに対応した溝
９５ｄ’水平ピンに対応した溝
９５ｅ’水平ピンに対応した溝
９５ｆ’水平ピンに対応した溝
９６ａ  垂直ピンに対応した溝
９６ｂ  垂直ピンに対応した溝
９６ｃ  垂直ピンに対応した溝
９６ｄ  垂直ピンに対応した溝
９６ｅ  垂直ピンに対応した溝
９６ｆ  垂直ピンに対応した溝
９６ａ’垂直ピンに対応した溝（リバーシブル対応）
９６ｂ’垂直ピンに対応した溝（リバーシブル対応）
９６ｃ’垂直ピンに対応した溝（リバーシブル対応）
９６ｄ’垂直ピンに対応した溝（リバーシブル対応）
９６ｅ’垂直ピンに対応した溝（リバーシブル対応）
９６ｆ’垂直ピンに対応した溝（リバーシブル対応）
９７    キーウェイ用溝
９８    日中製作所社製「ＳＥＰＡ・ＨＤＨディンプル」シリンダー用バンプキー
９９    キーヘッド
１００  キー先端部
１０２  スロープ
１０３  内筒挿入部
１０４ａ  水平ピンに対応した溝
１０４ｂ  水平ピンに対応した溝
１０４ｃ  水平ピンに対応した溝
１０４ｄ  水平ピンに対応した溝
１０４ｅ  水平ピンに対応した溝
１０４ｆ  水平ピンに対応した溝
１０４ａ’水平ピンに対応した溝（リバーシブル対応）
１０４ｂ’水平ピンに対応した溝（リバーシブル対応）
１０４ｃ’水平ピンに対応した溝（リバーシブル対応）
１０４ｄ’水平ピンに対応した溝（リバーシブル対応）
１０４ｅ’水平ピンに対応した溝（リバーシブル対応）
１０４ｆ’水平ピンに対応した溝（リバーシブル対応）
１０５ａ  水平ピンに対応した溝（リバーシブル対応）
１０５ｂ  水平ピンに対応した溝（リバーシブル対応）
１０５ｃ  水平ピンに対応した溝（リバーシブル対応）
１０５ｄ  水平ピンに対応した溝（リバーシブル対応）
１０５ｅ  水平ピンに対応した溝（リバーシブル対応）
１０５ａ’水平ピンに対応した溝
１０５ｂ’水平ピンに対応した溝
１０５ｃ’水平ピンに対応した溝
１０５ｄ’水平ピンに対応した溝
１０５ｅ’水平ピンに対応した溝
１０６  鍵元部
１０７  ゴール社製「ディンプルキー・グランブイ（ＧＶ）」シリンダー用バンプキー
１０８  キーヘッド
１０９  鍵元部
１１０  キーウェイ
１１１  スロープ
１１２  キー先端部
１１３  内筒挿入部
１１４ａ  水平ピンに対応した溝
１１４ｂ  水平ピンに対応した溝
１１４ｃ  水平ピンに対応した溝
１１４ｄ  水平ピンに対応した溝
１１４ｅ  水平ピンに対応した溝
１１４ｆ  水平ピンに対応した溝
１１４ｇ  水平ピンに対応した溝
１１４ｈ  水平ピンに対応した溝
１１４ａ’水平ピンに対応した溝（リバーシブル対応）
１１４ｂ’水平ピンに対応した溝（リバーシブル対応）
１１４ｃ’水平ピンに対応した溝（リバーシブル対応）
１１４ｄ’水平ピンに対応した溝（リバーシブル対応）
１１４ｅ’水平ピンに対応した溝（リバーシブル対応）
１１４ｆ’水平ピンに対応した溝（リバーシブル対応）
１１４ｇ’水平ピンに対応した溝（リバーシブル対応）
１１４ｈ’水平ピンに対応した溝（リバーシブル対応）
１１５ａ  水平ピンに対応した溝（リバーシブル対応）
１１５ｂ  水平ピンに対応した溝（リバーシブル対応）
１１５ｃ  水平ピンに対応した溝（リバーシブル対応）
１１５ｄ  水平ピンに対応した溝（リバーシブル対応）
１１５ｅ  水平ピンに対応した溝（リバーシブル対応）
１１５ｆ  水平ピンに対応した溝（リバーシブル対応）
１１５ｇ  水平ピンに対応した溝（リバーシブル対応）
１１５ｈ  水平ピンに対応した溝（リバーシブル対応）
１１５ａ’水平ピンに対応した溝
１１５ｂ’水平ピンに対応した溝
１１５ｃ’水平ピンに対応した溝
１１５ｄ’水平ピンに対応した溝
１１５ｅ’水平ピンに対応した溝
１１５ｆ’水平ピンに対応した溝
１１５ｇ’水平ピンに対応した溝
１１５ｈ’水平ピンに対応した溝
１１６ａ  垂直ピンに対応した溝
１１６ｂ  垂直ピンに対応した溝
１１６ｃ  垂直ピンに対応した溝
１１６ｄ  垂直ピンに対応した溝
１１６ｅ  垂直ピンに対応した溝
１１６ｆ  垂直ピンに対応した溝
１１６ｇ  垂直ピンに対応した溝
１１６ｈ  垂直ピンに対応した溝
１１６ａ’垂直ピンに対応した溝（リバーシブル対応）
１１６ｂ’垂直ピンに対応した溝（リバーシブル対応）  
１１６ｃ’垂直ピンに対応した溝（リバーシブル対応）  
１１６ｄ’垂直ピンに対応した溝（リバーシブル対応）  
１１６ｅ’垂直ピンに対応した溝（リバーシブル対応）  
１１６ｆ’垂直ピンに対応した溝（リバーシブル対応）  
１１６ｇ’垂直ピンに対応した溝（リバーシブル対応）    
１１６ｈ’垂直ピンに対応した溝（リバーシブル対応）
【図１】
2008174911.tif 000003
【図２】
2008174911.tif 000004
【図３】
2008174911.tif 000005
【図４】
2008174911.tif 000006
【図５】
2008174911.tif 000007
【図６】
2008174911.tif 000008
【図７】
2008174911.tif 000009
【図８】
2008174911.tif 000010
【図９】
2008174911.tif 000011
【図１０】
2008174911.tif 000012
【図１１】
2008174911.tif 000013
【図１２】
2008174911.tif 000014
【図１３】
2008174911.tif 000015
【図１４】
2008174911.tif 000016
【図１５】
2008174911.tif 000017
【図１６】
2008174911.tif 000018
【図１７】
2008174911.tif 000019
【図１８】
2008174911.tif 000020
【図１９】
2008174911.tif 000021
【図２０】
2008174911.tif 000022
【図２１】
2008174911.tif 000023
【図２２】
2008174911.tif 000024
【図２３】
2008174911.tif 000025
【図２４】
2008174911.tif 000026
【図２５】
2008174911.tif 000027
【図２６】
2008174911.tif 000028
【図２７】
2008174911.tif 000029
【図２８】
2008174911.tif 000030
【図２９】
2008174911.tif 000031
【図３０】
2008174911.tif 000032
【図３１】
2008174911.tif 000033
【図３２】
2008174911.tif 000034
【図３３】
2008174911.tif 000035
【図３４】
2008174911.tif 000036
【図３５】
2008174911.tif 000037
【図３６】
2008174911.tif 000038
【図３７】
2008174911.tif 000039
【図３８】
2008174911.tif 000040
【図３９】
2008174911.tif 000041
【図４０】
2008174911.tif 000042
【図４１】
2008174911.tif 000043
【図４２】
2008174911.tif 000044
【図４３】
2008174911.tif 000045
【図４４】
2008174911.tif 000046
【図４５】
2008174911.tif 000047
【図４６】
2008174911.tif 000048
【図４７】
2008174911.tif 000049
【図４８】
2008174911.tif 000050
【図４９】
2008174911.tif 000051
【図５０】
2008174911.tif 000052
【図５１】
2008174911.tif 000053
【図５２】
2008174911.tif 000054
【図５３】
2008174911.tif 000055
【図５４】
2008174911.tif 000056
【図５５】
2008174911.tif 000057
【図５６】
2008174911.tif 000058
【図５７】
2008174911.tif 000059
【図５８】
2008174911.tif 000060
【図５９】
2008174911.tif 000061
【図６０】
2008174911.tif 000062
【図６１】
2008174911.tif 000063
【図６２】
2008174911.tif 000064
【図６３】
2008174911.tif 000065
【図６４】
2008174911.tif 000066
【図６５】
2008174911.tif 000067
【図６６】
2008174911.tif 000068
【図６７】
2008174911.tif 000069
【図６８】
2008174911.tif 000070
【図６９】
2008174911.tif 000071
【図７０】
2008174911.tif 000072
【図７１】
2008174911.tif 000073
【図７２】
2008174911.tif 000074
【図７３】
2008174911.tif 000075
【図７４】
2008174911.tif 000076
【図７５】
2008174911.tif 000077
【図７６】
2008174911.tif 000078
【図７７】
2008174911.tif 000079
【図７８】
2008174911.tif 000080
【図７９】
2008174911.tif 000081
【図８０】
2008174911.tif 000082
【図８１】
2008174911.tif 000083
【図８２】
2008174911.tif 000084
【図８３】
2008174911.tif 000085
【図８４】
2008174911.tif 000086
【図８５】
2008174911.tif 000087
【図８６】
2008174911.tif 000088
【図８７】
2008174911.tif 000089
【図８８】
2008174911.tif 000090
【図８９】
2008174911.tif 000091